(57)【要約】【課題】入力装置において、複数のホイールと決定ボタンとを適切に関連付けてその操作性を向上することにより、使い勝手の優れたものとすること。【解決手段】入力装置２０は、回転操作により画面表示を変更する複数のホイール３１と、押下操作により画面表示を決定する決定ボタン３２とを備える。複数のホイール３１は、決定ボタン３２の外周外側に近接して位置し、それぞれの回転操作方向が当該決定ボタン３２から放射方向となるように設置されている。【選択図】図２
2007264919.tif 000002
【特許請求の範囲】
【請求項１】
回転操作により画面表示を変更する複数のホイールと、
押下操作により画面表示を決定する決定ボタンとを備えた入力装置であって、
前記複数のホイールは、前記決定ボタンの外周外側に近接して位置し、それぞれの回転操作方向が当該決定ボタンから放射方向となるように設置したこと
を特徴とする入力装置。
【請求項２】
請求項１において、前記ホイールは画面に表示されたカーソルを移動するためのものであり、前記決定ボタンは前記カーソルの位置の画面表示を決定するためのものであり、前記複数のホイールは、前記決定ボタンの上下両側に位置して前記カーソルを上下方向に移動する一対の第１のホイールと、前記決定ボタンの左右両側に位置して前記カーソルを左右方向に変更する一対の第２のホイールとを有していることを特徴とする入力装置。
【請求項３】
請求項１において、前記各ホイールの押下操作によりオンオフ動作するタクトスイッチを備えていることを特徴とする入力装置。
【請求項４】
表示画面を有する表示部と、
回転操作する複数のホイールと押下操作する決定ボタンとを有する入力装置と、
前記入力装置で入力された操作信号に基づいて前記表示部の画面表示状態を制御する制御部とを備える表示装置であって、
入力装置は、前記決定ボタンを中央部に位置し、前記複数のホイールを前記決定ボタンの外周外側に近接して位置し、それぞれのホイールの回転操作方向が当該決定ボタンから放射方向となるように設置され、
前記制御部は、前記各ホイールの回転操作により入力された信号に基づいて前記表示部の画面表示を変更し、前記決定ボタンの押下操作により入力された信号に基づいて前記表示部の画面表示を決定するように制御すること
を特徴とする表示装置。
【請求項５】
請求項４において、前記各ホイールの押下操作によりオンオフ動作するタクトスイッチを備え、前記制御部は、前記各ホイールの回転操作により入力された信号に基づいて前記表示部の画面に表示されたカーソルを移動し、前記タクトスイッチの押下操作により入力された信号に基づいて前記表示部の画面に表示されたカーソルを所定の所に移動するように制御することを特徴とする表示装置。
【発明の詳細な説明】
【技術分野】
【０００１】
本発明は、入力装置及びそれを用いた表示装置に係り、特に回転操作する複数のホイールを有する入力装置及びそれを用いた表示装置に好適なものである。
【背景技術】
【０００２】
回転操作する複数のホイールを有する従来の入力装置としては、例えば特開２００４−２８８０８９号公報（特許文献１）に記載されたものがある。この特許文献１の入力装置は、回転操作する複数のホイールと、押下操作するクリック操作ボタンと、ホイールの押下操作でオンオフするスイッチとを備えて構成されている。複数のホイールは、画面スクロールまたはカーソルの移動を上下に移動する上下スクロールホイールと、画面スクロールまたはカーソルの移動を左右に移動する左右スクロールホイールとをからなっている。クリック操作ボタンは複数のホイールの両側に設置されている。ホイールの押下操作でオンオフするスイッチは、パソコンのオートスクロールモードをオンオフするためのものである。
【０００３】
【特許文献１】特開２００４−２８８０８９号公報
【発明の開示】
【発明が解決しようとする課題】
【０００４】
しかし、従来の特許文献１の入力装置では、複数のホイールとクリック操作ボタンとの操作方向及び位置が適切に関連付けられていないため、その使い勝手に問題があった。
【０００５】
即ち、特許文献１の図９の入力装置では、上下スクロールホイール及び左右スクロールホイールの操作方向が上下方向で且つその左右両側にクリック操作ボタンが設置されているため、上下スクロールホイール及び左右スクロールホイールの操作方向から交差する方向に指の移動方向を変更してクリック操作ボタンを押下しなければならず、操作性に難があり、使い勝手が悪いという問題がある。
【０００６】
また、特許文献１の図１０の入力装置では、上下スクロールホイールの操作方向が上下方向で且つその左右両側にクリック操作ボタンが設置されていることに変わりがないため、上下スクロールホイールの操作方向から交差する方向に指の移動方向を変更してクリック操作ボタンを押下しなければならず、操作性に難があり、使い勝手が悪いという問題がある。しかも、上下スクロールホイールの操作方向に対するクリック操作ボタンの位置関係と、左右スクロールホイールの操作方向に対するクリック操作ボタンの位置関係とが大きく異なるため、この点からも操作性に難があり、使い勝手が悪いという問題がある。
【０００７】
さらに、特許文献１の図１から図５の入力装置では、上下スクロールホイールの操作方向が上下方向で、その左右両側にクリック操作ボタンが設置されていることに変わりがないため、上下スクロールホイールの操作方向から交差する方向に指の移動を変更してクリック操作ボタンを押下しなければならず、操作性に難があり、使い勝手が悪いという問題がある。しかも、球状の上下スクロールホイールに中空半球状の左右スクロールホイールが被さって半球部分のみで操作しなければならないため、操作性に難があり、使い勝手が悪いという問題がある。
【０００８】
本発明の目的は、複数のホイールと決定ボタンとを適切に関連付けてその操作性を向上することにより、使い勝手の優れた入力装置及びそれを用いた表示装置を実現することにある。
【課題を解決するための手段】
【０００９】
前述の目的を達成するための本発明の第１の態様は、回転操作により画面表示を変更する複数のホイールと、押下操作により画面表示を決定する決定ボタンとを備えた入力装置であって、前記複数のホイールは、前記決定ボタンの外周外側に近接して位置し、それぞれの回転操作方向が当該決定ボタンから放射方向となるように設置したことにある。
【００１０】
係る本発明の第１の態様におけるより好ましい具体的構成例は次の通りである。
（１）前記ホイールは画面に表示されたカーソルを移動するためのものであり、前記決定ボタンは前記カーソルの位置の画面表示を決定するためのものであり、前記複数のホイールは、前記決定ボタンの上下両側に位置して前記カーソルを上下方向に移動する一対の第１のホイールと、前記決定ボタンの左右両側に位置して前記カーソルを左右方向に変更する一対の第２のホイールとを有していること。
（２）前記各ホイールの押下操作によりオンオフ動作するタクトスイッチを備えていること。
【００１１】
また、本発明の第２の態様は、表示画面を有する表示部と、回転操作する複数のホイールと押下操作する決定ボタンとを有する入力装置と、前記入力装置で入力された操作信号に基づいて前記表示部の画面表示状態を制御する制御部とを備える表示装置であって、入力装置は、前記決定ボタンを中央部に位置し、前記複数のホイールを前記決定ボタンの外周外側に近接して位置し、それぞれのホイールの回転操作方向が当該決定ボタンから放射方向となるように設置され、前記制御部は、前記各ホイールの回転操作により入力された信号に基づいて前記表示部の画面表示を変更し、前記決定ボタンの押下操作により入力された信号に基づいて前記表示部の画面表示を決定するように制御することにある。
【００１２】
係る本発明の第２の態様におけるより好ましい具体的構成例は次の通りである。
（１）前記各ホイールの押下操作によりオンオフ動作するタクトスイッチを備え、前記制御部は、前記各ホイールの回転操作により入力された信号に基づいて前記表示部の画面に表示されたカーソルを移動し、前記タクトスイッチの押下操作により入力された信号に基づいて前記表示部の画面に表示されたカーソルを所定の所に移動するように制御すること。
【発明の効果】
【００１３】
本発明によれば、複数のホイールと決定ボタンとを適切に関連付けてその操作性を向上することにより、使い勝手の優れた入力装置及びそれを用いた表示装置を実現することができる。
【発明を実施するための最良の形態】
【００１４】
以下、本発明の一実施形態の入力装置及びそれを用いた表示装置について図を用いて説明する。
【００１５】
まず、本実施形態の表示装置１の全体構成に関して図１を参照しながら説明する。図１は本発明の一実施形態の表示装置１を示す全体構成図である。本実施形態では一般的なＴＶ受像機の例で説明するが、本発明はパーソナルコンピュータや携帯電話端末などの表示装置及びその入力装置に適用可能である。
【００１６】
表示装置１は、複数のデジタル放送、例えば地上波デジタル放送・ＢＳデジタル放送・ＣＳデジタル放送などを受信して当該放送に含まれるデータを処理し番組映像として表示するものである。そして、この表示装置１は、表示装置本体部１０とリモートコントローラ（リモコン）２０とを備えて構成されている。なお、表示装置本体部１０とリモコン２０とが一体的に構成されていてもよい。
【００１７】
表示装置本体部１０は、チューナ部１１と、本体側記憶部１２と、画像、番組映像、番組案内情報などを表示する表示部１３と、音声出力部１４と、本体側通信部１５と、ネットワークＩ／Ｆ１８と、リムーバブルメディアＩ／Ｆ１９と、これらを統括的に制御する本体側制御部１６と、電源１７とを備えて構成されている。なお、表示装置１における記憶部は、本体側記憶部１２と後述するリモコン側記憶部２４とから構成されている。また、表示装置１における制御部は、本体側制御部１６と後述するリモコン側制御部２３とから構成されている。
【００１８】
チューナ部１１は、アンテナ１１Ａで受信したデジタル放送に含まれるデータを処理するものであり、ＢＳチューナ、ＣＳ、地上波デジタルチューナ及び地上波アナログチューナからなる複数のチューナを備えて構成されている。
【００１９】
本体側記憶部１２は、実行プログラムや各種データなどを予め格納していると共に、受信したデジタル放送に含まれるデータ、例えばＥＰＧデータなどを格納するものである。このＥＰＧデータはチューナ部１１を通して放送をデコードすることにより生成される。
【００２０】
表示部１３は、表示画面を有し、ＰＤＰ（プラズマディスプレイパネル）や液晶ディスプレイパネルなどの表示パネルで構成されている。
【００２１】
音声出力部１４は、音声を出力するスピーカなどで構成されている。この音声出力部１４は、表示部１３の上下、左右の両側などに付属して設置され、表示部１３に表示される番組映像や番組に関する音声情報やその他のコンテンツの音声情報などが音声出力される。
【００２２】
本体側通信部１５は、リモコン２０と通信を行うためのものであり、赤外線受光部で構成されている。リモコン２０からの赤外線による指令信号が本体側通信部１５で受光されて、本体側制御部１６に送られる。
【００２３】
本体側制御部１６は、リモコン２０からの指令信号に応じて、各部の制御を行う。そして、本体側制御部１６の制御のもとに、アンテナ１７で受信されたデジタル放送及びアナログ放送がチューナ部１１で処理され、処理された番組映像が表示部１１で表示され、また、処理された音声情報が音声出力部１３に供給されて音声出力される。
【００２４】
リモコン２０は、入力装置を構成するものであり、操作部２１と、リモコン側通信部２２と、リモコン側制御部２３と、リモコン側記憶部２４とを備えて構成されている。
【００２５】
操作部２１で発生された信号はリモコン制御部２３に送られる。リモコン制御部２３は、その信号に基づいて、リモコン記憶部２４に格納され所定の制御信号コードを読み出して所定の操作信号を生成する。この操作信号はリモコン側通信部２２より本体側通信部１５に発信され、本体側通信部１５から本体側制御部１６に入力される。
【００２６】
次に、リモコン２０の詳細を図２から図４を参照しながら説明する。図２は図１のリモコン２０の平面図、図３は図２のＡ−Ａ断面図、図４は図２のリモコン２０のホイール機構を説明する平面図、図５は図４の側面図である。
【００２７】
リモコン２０の操作部２１は、リモコンケース３０の上面に配置され、第１の操作部２１Ａと、第２の操作部２１Ｂとを備えて構成されている。第１の操作部２１Ａは、回転操作により画面表示を変更する複数のホイール３１と、押下操作により画面表示を決定する決定ボタン３２とを備えて構成されている。第２の操作部２１Ｂは、図示されたチャンネルボタンと、図示省略した各種の操作ボタンとを備えて構成されている。ホイール３１は、表示部１３の表示画面に表示される、フリーカーソル、ステップカーソルなどのカーソルや、タブブラウザにおけるタブ、などを移動する操作に用いられる。
【００２８】
複数のホイール３１は、決定ボタン３２の外周外側に近接して位置し、それぞれの回転操作方向が当該決定ボタン３２から放射方向となるように設置されている。かかる構成によって、各ホイール３１の回転操作方向に決定ボタンの位置が一致し、しかも、各ホイール３１と決定ボタン３２との相互位置関係が同じになるので、各ホイール３１と決定ボタン３２との操作方向及び相互位置を共通にした状態で操作できることとなり、ユーザの使い勝手が向上できる。即ち、ホイール３１の操作方向が決定ボタン３２を中心にして分かり易く把握できると共に、そのホイール３１の操作方向に一致する方向にユーザの指を移動して決定ボタン３２を容易に操作することができる。さらには、各ホイール３１は、決定ボタン３２を中心として放射状に延びているので、各ホイール３１の間隔を確保することができ、隣接するホイール３１に干渉されることなく、容易に操作することができる。
【００２９】
また、複数のホイール３１は、第１のホイール３１Ａと、第２のホイール３１Ｂとから構成されている。第１のホイール３１Ａは、決定ボタン３２の上下両側に近接して対称に配置され、回転操作方向が一致している一対のホイールで構成されている。第２のホイール３１Ｂは、決定ボタン３２の左右両側に近接して対称に配置され、操作方向が一致している一対のホイールで構成されている。かかる構成によって、決定ボタン３２を中心として、上方向にホイール３１を操作すれば画面のカーソルまたはタブを上方向に移動でき、下方向にホイール３１を操作すれば画面のカーソルまたはタブを下方向に移動でき、右方向にホイール３１を操作すれば画面のカーソルまたはタブを右方向に移動でき、左方向にホイール３１を操作すれば画面のカーソルまたはタブを左方向に移動できる。従って、ユーザの使い勝手が格段に向上できる。
【００３０】
決定ボタン３２は、放射状に設置されたホイール３１の中心部に配置され、リモコンケース３０の上面側から押下操作可能に設置されている。決定ボタン３２の下端面に対応してタクトスイッチ３３が設置されている。タクトスイッチ３３は、決定ボタン３２の押下及びその解除により、オンオフ動作される。タクトスイッチ３３のオンオフ動作による信号はリモコン制御部２３に入力される。
【００３１】
ホイール３１は円板状に形成され、その中心部に両側に突出する回転軸３４が設けられている。この回転軸３４は、回路基板３８の上面に立設された支持部３５により、ホイール３１の両側で回転可能に支持されている。ホイール３１はリモコンケース３０の上面側から回転操作可能に設置されている。
【００３２】
ホイール３１の一側から延びる回転軸３４にはロータリエンコーダ３６が装着されている。このロータリエンコーダ３６によりホイール３１の回転位置、回転速度及び回転方向などを検出できる。ロータリエンコーダ３６で検出した信号はリモコン制御部２３に入力される。各ロータリエンコーダ３６は、放射状に延びる各ホイール３１の間のデッドスペースに配置されているので、コンパクトな構成とすることができる。
【００３３】
各ロータリエンコーダ３６の下面にはそれぞれタクトスイッチ３７が設置されている。この配置構成によって、設置スペースを縮小することができる。各ホイール３１の押下及びその解除の操作をすることによって各ホイール３１に対応するタクトスイッチ３７がオンオフ動作される。タクトスイッチ３７のオンオフ動作による信号はリモコン制御部２３に入力される。これによって、各ホイール３１に対応付けてタクトスイッチ３７の信号を利用することができる。
【００３４】
次に、リモコン２０の構造の変形例を図６から図８を参照しながら説明する。図６は図４のホイール３１にタッチセンサ機能を持たせた変形例を示す概略図、図７は図６のタッチセンサ機能の変形例を示す概略図、図８は図４のホイール３１の支持部３５にタクトスイッチ３７の動作機能を加えた変形例を示す概略図、図９は図２の操作部２１に球状ホイール３１を用いた変形例を示す概略図、図１０は図２の操作部２１に上下、左右、斜めホイール３１を用いた変形例を示す概略図である。図６及び図７における（ａ）は側面図、（ｂ）は正面図であり、図８は正面図である。
【００３５】
図６の変形例では、ホイール３１がアルミなどの導電性材料で形成され、ホイール３１と回路基板３８とが導電性ブラシ３９を介して電気的に接続されており、ホイール３１にユーザの指が接触した場合に、それを感知して感知信号がリモコン制御部２３に入力されるタッチセンサ機能を有する。これによって、各ホイール３１に対応した接触感知信号を得ることができる。ユーザの指がどのホイール３１に接触しているかを確認することができ、ユーザがこれから操作しようとしている方向を察知し、その方向にカーソルの向きを変えることができる。
【００３６】
図７の変形例では、ホイール３１がゴム製部材などの摩擦の大きな部材で形成され、その側面にアルミなど導電性材料で形成された円盤４０が接着され、円盤４０と回路基板３８とが導電性ブラシ３９を介して電気的に接続されており、導電性円盤４０にユーザの指が接触した場合に、それを感知して感知信号がリモコン制御部２３に入力されるタッチセンサ機能を有する。この構成によれば、ホイール３１の操作部の摩擦を大きくしてホイール３１を操作し易くしつつ、タッチセンサ機能を持たせることができる。
【００３７】
図８の変形例では、支持部３５がＵ字状に形成され、その支持部３５の下面にタクトスイッチ３７が設置されている。かかる構成によって、回転軸３４及びロータリエンコーダ３６に偏心した力が加えられることなく、ホイール３１の直下に位置するタクトスイッチ３７を確実に操作することができる。
【００３８】
図９の変形例では、ホイール３１Ａ、３１Ｂが球状に形成され、２つのホイール３１Ａ、３１Ｂにまたがって指が接触されて斜めに操作された場合に、２つのホイール３１Ａ、３１Ｂを同時に操作可能としている。これによって、１回の操作でカーソルを斜めに移動することができ、使い勝手を格段に向上することができる。
【００３９】
図１０の変形例では、ホイール３１Ａ、３１Ｂの間にホイール３１Ｃが設置されている。このホイール３１Ｃは、決定ボタン３２の両側に近接して配置された一対のホイールで構成され、この一対のホイール３１Ｃが２組設置されている。ホイール３１Ｃを操作することにより、１回の操作でカーソルを斜めに移動できるように構成されており、使い勝手を格段に向上することができる。
【００４０】
次に、表示部１３の画面に表示された画像におけるステップカーソルのリモコン操作による第１の移動例について、図１１の画面例を用いて説明する。図１１は本実施形態におけるステップカーソルの第１の移動例を説明する図である。図１１の画面例は、画面の周縁部に４つの選択エリア（ユーザエリア、ジャンルエリア、視聴エリア、デバイスエリア）が配置され、中央部にコンテンツエリアが配置されている。
【００４１】
図１１Ａはホイール３１で操作する直前の画面を示す。この画面では、ユーザエリアが「お母さん」、ジャンルエリアが「映画」、視聴エリアが「未視聴」、デバイスエリアが「レコーダ」の状態であり、コンテンツエリアの「ＡＡＡＡＡ」にステップカーソルが位置した状態である。なお、ステップカーソルを太枠で示す。
【００４２】
図１１Ａの状態で、例えば、図１１Ｂ（ａ）に示すように下側ホイール３１Ａを下方に回転操作すると、コンテンツエリア内のステップカーソルが下方に移動し、図１１Ｂ（ｂ）に示すようにコンテンツエリアの「ＥＥＥＥＥ」にステップカーソルが移動する。この状態で決定ボタン３２を押下すれば、コンテンツエリアの「ＥＥＥＥＥ」の内容が画面に表示される。この決定ボタン３２の押下操作は、決定ボタン３２が下側ホイール３１Ａの操作方向と一致した位置で且つ近接して位置しているので、容易に操作することができる。
【００４３】
なお、図１１Ｂ（ａ）に示すように中央の決定ボタン３２側からホイール３１を操作することで希望する操作を直感的に行うことができるが、慣れてくれば、逆方向から操作することも可能である。例えば、コンテンツエリアの上部にステップカーソルが位置し下方に移動したい場合には、上側ホイール３１Ａを下側に回転操作することにより、次の決定ボタン３２の押下操作へと連続的に操作することが可能となり、その操作性がさらに向上する。
【００４４】
図１１Ａまたは図１１Ｂの状態で、ホイール３１を押下すると、ステップカーソルが押下されたホイール３１に対応する次のエリアに移動する。例えば、図１１Ｃ（ａ）に示すように下側ホイール３１Ａが押下されると、図１１Ｃ（ｂ）に示すようにデバイスエリアの「レコーダ」にステップカーソルが移動する。従って、複数の選択エリアに対応するホイール３１を押下するだけで、希望する選択エリアにステップカーソルを移動することができる。
【００４５】
そして、図１１Ｃ（ｂ）の状態で、ホイール３１Ｂを左右に回転操作することにより、デバイスエリア内でステップカーソルを移動することができる。
【００４６】
次に、表示部１３の画面に表示された画像におけるステップカーソルのリモコン操作による第２の移動例について、図１２の画面例を用いて説明する。図１２Ａから図１２Ｂのステップカーソルの移動は、図１１Ａから図１１Ｂのステップカーソルの移動と同一であるので、重複する説明を省略する。
【００４７】
図１２Ｂ（ｂ）の状態において、ホイール３１を押下すると、ステップカーソルが押下されたホイール３１に対応する方向にコンテンツエリア内で１つだけ移動する。例えば、図１２Ｃ（ａ）に示すように下側ホイール３１Ａが押下されると、図１２Ｃ（ｂ）に示すようにコンテンツエリア内の下側の選択肢「ＦＦＦＦＦ」にステップカーソルが移動する。従って、移動したい方向の選択肢に対応するホイール３１を押下するだけで、同一エリア内の次の選択肢にステップカーソルを移動することができる。
【００４８】
また、カーソルがエリアの端（例えばＧＧＧＧＧ）に来た時に、更にホイールを下に回転もしくは下ホイールを押下することでカーソルがエリア移動をする（例えばレコーダに移動する）ようになっている。これによって、ユーザがエリア内でのカーソル移動とエリアをまたがるカーソル移動で操作を変える必要がなく、一つのルール（回転で大きな移動／押下で微小移動）で全て操作できることとなるので、使い勝手が向上できる。このことは、図１５に示す例の場合でも適用することができ、同様な効果が得られる。
【００４９】
次に、表示部１３の画面に表示された画像におけるステップカーソルのリモコン操作による第３の移動例について、図１３の画面例を用いて説明する。
【００５０】
図１３Ａは、画面内容が図１１と基本的に同じであり、コンテンツエリアの最下段の選択肢「ＧＧＧＧＧ」にステップカーソルが位置した状態である。この状態で、図１３Ｂ（ａ）に示すように下側ホイール３１Ａを押下すると、図１３Ｂ（ｂ）に示すようにデバイスエリアの「レコーダ」にステップカーソルが移動する。従って、ステップカーソルが下側ホイール３１Ａの回転操作により最下段にきたときに下側ホイール３１Ａを押下する、という連続的な操作で、次の選択エリアにステップカーソルを簡単に移動することができる。
【００５１】
この第３の移動例では、カーソルがエリアの端にない時の移動は第２の移動例と同じであり、即ち、回転で大きな移動／押下で微小移動である。ただし、カーソルがエリアの端（例えばＧＧＧＧＧ）に来た時に、更にホイールを下に回転させても、カーソルはエリアをまたがって移動しない。エリアをまたがって移動させる際にはホイールを押下しなければならない。このように構成することによって、ホイールを思いきり回転させることでエリア内の端のオブジェクトにたどり着きやすくできると共に、エリア内のオブジェクトが多数あり、１画面に収まらない場合でも、ホイールを回転させることでそのエリア内のスクロールまたはページ送りをすることができる。
【００５２】
次に、表示部１３の画面に表示された複数のウインドウにおけるフリーカーソルのリモコン操作による第１の移動例について、図１４の画面例を用いて説明する。
【００５３】
図１４Ａはホイール３１で操作する直前の画面例を示し、「ＡＢＣウェブ」と「ＤＥＦウェブ」のウインドウが開いた状態である。なお、フリーカーソルを太い矢印で示す。
【００５４】
図１４Ａの状態で、例えば、図１４Ｂ（ａ）に示すように右側ホイール３１Ｂを右方向に回転操作すると、図１４Ｂ（ｂ）に示すようにコンテンツエリア内のフリーカーソルが同一ウインドウ内で右側に移動する。
【００５５】
図１４Ｂの状態で、図１４Ｃ（ａ）に示すように右側ホイール３１Ｂを押下すると、図１４Ｃ（ｂ）に示すようにフリーカーソルが隣のウインドウに移動する。従って、ホイール３１を押下するだけで、隣のウインドウにフリーカーソルを簡単に移動することができる。
【００５６】
次に、表示部１３の画面に表示された複数のウインドウにおけるフリーカーソルのリモコン操作による第２の移動例について、図１５の画面例を用いて説明する。図１５Ａから図１５Ｂのステップカーソルの移動は、図１４Ａから図１４Ｂのステップカーソルの移動と同一であるので、重複する説明を省略する。
【００５７】
図１５Ｂの状態で、図１５Ｃ（ａ）に示すように右側ホイール３１Ｂを押下すると、図１５Ｃ（ｂ）に示すようにフリーカーソルが同一ウインドウ内で右側に微小移動する。従って、右側ホイール３１Ｂの回転操作でフリーカーソルを大きく移動した後に、ホイール３１を押下して微小移動することにより、希望する位置にフリーカーソルを簡単且つ正確に移動することができる。
【００５８】
次に、表示部１３の画面に表示された複数のウインドウにおけるフリーカーソルのリモコン操作による第３の移動例について、図１６の画面例を用いて説明する。
【００５９】
図１６Ａは、画面内容が図１５と基本的に同じであり、「ＡＢＣウェブ」ウインドウの端にフリーカーソルが位置した状態である。
【００６０】
図１６Ａの状態で、図１６Ｂ（ａ）に示すように右側ホイール３１Ｂを押下すると、図１６Ｂ（ｂ）に示すようにフリーカーソルがその先にあるウインドウ内に移動する。従って、ホイール３１を押下するだけで、先にあるウインドウ内にフリーカーソルを簡単に移動することができる。カーソルがウインドウの端に来た時に、更にホイールを下に回転させても、カーソルはウインドウをまたがって移動しない。ウインドウをまたがって移動させる際にはホイールを押下しなければならない。このように構成することによって、ホイールを思いきり回転させることでウインドウ内の端のオブジェクトにたどり着きやすくできる。
【００６１】
次に、表示部１３の画面に表示された複数のタブブラウザにおけるフリーカーソルのリモコン操作による移動例について、図１７の画面例を用いて説明する。
【００６２】
図１７Ａはホイール３１で操作する直前の画面例を示し、「ＡＢＣウェブ」と「ＤＥＦウェブ」のタブブラウザが開いた状態で、タブブラウザ「ＡＢＣウェブ」が前面に表示されている。
【００６３】
図１７Ａの状態で、例えば、図１７Ｂ（ａ）に示すように右側ホイール３１Ｂを右方向に回転操作すると、図１７Ｂ（ｂ）に示すようにタブブラウザ「ＡＢＣウェブ」内のフリーカーソルが同一タブブラウザ内で右側に移動する。
【００６４】
図１７Ｂの状態で、図１７Ｃ（ａ）に示すように右側ホイール３１Ｂを押下すると、図１４７（ｂ）に示すようにフリーカーソルが次のタブブラウザ「ＤＥＦウェブ」に移動する。従って、ホイール３１を押下するだけで、次のタブブラウザにフリーカーソルを簡単に移動することができる。
【００６５】
次に、表示部１３の画面に表示されたフリーカーソルのリモコン操作による第１の移動量制御について、図１８の画面例及び図１９の制御特性を用いて説明する。なお、ステップカーソルの場合も同様な移動量制御を行うことができる。
【００６６】
図１８（ａ）〜（ｃ）は、右側ホイール３１Ｂを右方向にゆっくり回転操作した場合のフリーカーソルの移動量を説明する図である。図１８（ａ）は右側ホイール３１Ｂで操作する直前のフリーカーソルの状態を示す。この図１８（ａ）の状態で、例えば、図１８（ｂ）に示すように右側ホイール３１Ｂを右方向にゆっくり回転操作すると、図１８（ｃ）に示すようにコンテンツエリア内のフリーカーソルが同一ウインドウ内で右側に少しだけ移動する。
【００６７】
図１８（ｄ）〜（ｆ）は、右側ホイール３１Ｂを右方向に速く回転操作した場合のフリーカーソルの移動量を説明する図である。図１８（ｄ）は右側ホイール３１Ｂで操作する直前のフリーカーソルの状態を示し、図１８（ａ）と同一である。この図１８（ｄ）の状態で、例えば、図１８（ｅ）に示すように右側ホイール３１Ｂを右方向に速く回転操作すると、図１８（ｆ）に示すようにコンテンツエリア内のフリーカーソルが同一ウインドウ内で右側に大きく移動する。
【００６８】
上述したホイール３１の回転速度に応じた移動量とするには、ホイール３１の回転操作によってロータリエンコーダ３６で発生するホイールパルスに対するカーソル移動量を、図１９に示すように設定することにより達成することができる。なお、図１９におけるパルスは、ホイール回転において一定角度ごとに発生する信号である。
【００６９】
従って、ユーザがその回転速度の調節をすることにより、カーソルの移動量を変化させることができ、使い勝手が格段に向上できる。
【００７０】
次に、表示部１３の画面に表示されたフリーカーソルのリモコン操作による第２の移動量制御について、図２０の画面例を用いて説明する。なお、ステップカーソルの場合も同様な移動量制御を行うことができる。
【００７１】
図２０（ａ）は右側ホイール３１Ｂで操作する直前のフリーカーソルの状態を示す。この図２０（ａ）の状態で、図２０（ｂ）に示すように右側ホイール３１Ｂを右方向に回転操作すると、図２０（ｃ）に示すようにコンテンツエリア内のフリーカーソルが同一ウインドウ内で右側に大きく移動する。この図２０（ｃ）の状態で、図２０（ｄ）に示すように右側ホイール３１Ｂを左方向に回転操作すると、図２０（ｅ）に示すようにコンテンツエリア内のフリーカーソルが同一ウインドウ内で左側に少しだけ移動する。
【００７２】
このように、中央の決定ボタン側から操作する基本操作で移動量が大きく、その反対側から操作した場合に移動量が小さくなるように制御でき、ユーザがそれを使い分けることができるので、その操作性が格段に向上する。
【００７３】
次に、表示部１３の画面に表示されたフリーカーソルのリモコン操作による第３の移動量制御について、図２１の画面例を用いて説明する。なお、ステップカーソルの場合も同様な移動量制御を行うことができる。
【００７４】
図２１（ａ）はホイール３１で操作する直前のフリーカーソルの状態を示す。この図２１（ａ）の状態で、図２１（ｂ）に示すように左側ホイール３１Ｂを右方向（中央側）に回転操作すると、図２１（ｃ）に示すようにコンテンツエリア内のフリーカーソルが同一ウインドウ内で右側に少しだけ移動する。左側ホイール３１Ｂの操作から所定時間内に反対側の右側ホイール３１Ｂを右方向（外側）に回転操作すると、図２１（ｅ）に示すようにコンテンツエリア内のフリーカーソルが同一ウインドウ内で右側に非常に大きく移動する。
【００７５】
このように、一方のホイール３１を中央側に回転操作した後に、他方のホイール３１を連続的に外側に操作することにより、非常に大きな移動量を得ることができる。なお、非常に大きな移動量を得ることの代わりに、フリーカーソルを端まで移動するように制御してもよい。
【００７６】
次に、表示部１３の画面に表示されたフリーカーソルのリモコン操作によるカーソル方向制御について、図２２の画面例を用いて説明する。
【００７７】
図２２（ａ）に示すように、右側ホイール３１Ｂを右方向に回転操作すると、フリーカーソルの方向が右側を向いて移動する。図２２（ｂ）に示すように、左側ホイール３１Ｂを左方向に回転操作すると、フリーカーソルの方向が左側を向いて移動する。図２２（ｃ）に示すように、上側ホイール３１Ａを上方向に回転操作すると、フリーカーソルの方向が上側を向いて移動する。図２２（ｄ）に示すように、下側ホイール３１Ａを下方向に回転操作すると、フリーカーソルの方向が下側を向いて移動する。
【００７８】
このように、ホイール３１の回転方向にカーソルの向きを変更して移動することにより、カーソルの移動方向を直感的に把握することができることとなり、使い勝手が向上できる。
【００７９】
なお、図６及び図７に示すタッチセンサ機能を有するリモコン２０の場合には、指が接触したホイール３１に対応する方向にカーソルの向きを制御するようにしてもよい。この場合には、ホイール３１に接触しただけでその回転方向が分かるので、極めて有用である。
【００８０】
次に、表示部１３の画面に表示されたフリーカーソルに基づくオブジェクトハイライト及び糸引き制御について、図２３Ａ及び図２３Ｂのフローチャート、図２４Ａ及び図２４Ｂの画面例を用いて説明する。
【００８１】
カーソルが最後に移動した方向（もしくは指が触れているホイールの方向）を取得し（ステップＳ１１）、取得した方向にフリーカーソルを向け、そのフリーカーソルの向いている方向に図２４Ａ（ａ）に示すように扇形の検知エリア４１を設定する（ステップＳ１２）。この検知エリア４１は目には見えないエリアである。なお、検知エリア４１を薄く表示するようにしてもよい。この検知エリアは、半径ｒと角度θによって定義され、その頂点の座標はカーソルの座標である。
【００８２】
この検知エリア４１内をチェックし、検知エリア４１内にクリッカブルオブジェクトが１つだけある場合には、図２４Ａ（ｂ）に示すように、クリッカブルオブジェクトをハイライトする（ステップＳ１３）。これによって、ユーザが意識を向けている方向でハイライトされたオブジェクトを決定ボタン３２で容易に決定することができる。
【００８３】
次いで、検知エリア４１内に座標を取得していないクリッカブルオブジェクトがあるかを検索する（ステップＳ１４）。座標を取得していないクリッカブルオブジェクトあれば、該クリッカブルオブジェクトの座標を取得し（ステップＳ１５）、ステップＳ１３に戻る。ステップＳ１３〜Ｓ１５を繰り返し、ステップＳ１４で、座標を取得していないクリッカブルオブジェクトがなくなった場合にステップＳ１６に進む。
【００８４】
ステップＳ１６で、検知エリア４１内の全てのクリッカブルオブジェクトとカーソル位置の距離を算出し（ステップＳ１６）、図２４Ａ（ｃ）に示すように、算出した距離の最も短いクリッカブルオブジェクトとカーソルとを線で結び、該クリッカブルオブジェクトをハイライトする（ステップＳ１７）。この場合、距離の計算をする際に用いるオブジェクトの座標は、オブジェクトの重心位置ではなく、そのオブジェクト内でカーソルから最も近い点を用いる。このように、ユーザが意識を向けている方向で最も近いクリッカブルオブジェクトをハイライトさせることができるので、ユーザが細かい位置調整を行わなくても望みのクリッカブルオブジェクトを選択することができるようになる。また、ハイライトされたクリッカブルオブジェクトとフリーカーソルとの間に線が引かれることによって、決定されるオブジェクトがフリーカーソル側から直感的に把握することができる。
【００８５】
なお、ハイライトされたクリッカブルオブジェクトを図２４Ｂ（ｄ）に示すように変更することができる。
【００８６】
次いで、クリックボタン（決定ボタン）が押されたかの判定をする（ステップＳ１８）。クリックボタンが押されていないと判定された場合には、ステップＳ１１に戻る。
【００８７】
ステップＳ１８でクリックボタンが押されたと判定された場合には、図２４Ｂ（ｄ）〜（ｆ）に示すように、フリーカーソルが線上に沿ってクリッカブルオブジェクトに近づくように移動する（ステップＳ１９）。ここで、カーソルがクリッカブルオブジェクトに重なったか判定される（ステップＳ２０）。重なっていないと判定された場合には、クリックボタンが離されたか判定され（ステップＳ２１）、離されたと判定された場合には、ステップＳ１１に戻る。これによって、望んでいないオブジェクトにハイライトがあたった状態で誤って決定ボタン３２を押してしまっても、すぐに離せば決定をキャンセルできる。
【００８８】
ステップＳ２１で、クリックボタンが離されていないと判定されている間、ステップＳ１９〜Ｓ２１が繰り返される。そして、図２４Ｂ（ｇ）に示すようにフリーカーソルがクリッカブルオブジェクトに重なると、ステップＳ２０からステップＳ２２に進み、カーソルの移動が停止する（ステップＳ２２）。ここで、クリックボタンが離されたか判定され（ステップＳ２３）、クリックボタンが離されるまで、この判定が繰り返される。クリックボタンが離されると、クリッカブルオブジェクトを選択する（ステップＳ２４）。
【００８９】
なお、線が引かれた状態で決定ボタン３２を押したら、すぐにそのオブジェクトが選択されるようにしてもよい。
【００９０】
次に、表示部１３の画面表示のズーム制御について、図２５の画面例を用いて説明する。
【００９１】
図２５（ａ）に示す状態で、図２５（ｂ）に示すようにホイール３１を長押しすると、図２５（ｃ）に示すように画面上のカーソルがズーム機能を意味するアイコンに変化する(例えば虫眼鏡)。ホイール３１を押下したままで、外側に回せば図２５（ｅ）に示すように画面表示が拡大され、内側に回せば画面表示が縮小される。なお、その逆操作で拡大、縮小するようにしてもよい。さらには、ホイール３１を押下する代わりに特定のボタンを別に設けても良く、特定のボタンを一度押下するとカーソルが虫眼鏡に変わり、ズームした後に再び押下すると通常のカーソルに戻るようにしてもよい。
【００９２】
次に、表示部１３の画面に表示された文字入力パレットを用いて文字を入力する第１の文字入力制御について、図２６の画面例を用いて説明する。
【００９３】
図２６Ａ（ａ）に示す入力フィールド４２を選択すると、図２６Ａ（ｂ）に示すように文字入力パレット４３がフィールドの下(または上)に表示される。この状態で、ホイール３１を横方向に回すと、図２６Ａ（ｃ）に示すようにステップカーソルが行を移動する。そして、行を選択すると（図示例では「た」を選択すると）、図２６Ｂ（ｄ）に示すようにその行の中身が開く。その中身には濁点や小字も入っている。望みの文字を選択して（図示例では、図２６Ｂ（ｅ）に示すように「つ」を選択して）決定ボタン３２を押下すると、入力フィールド４２にその文字が入力される。この状態で、図２６Ｂ（ｆ）に示すように、予測候補表示エリア４４に予測候補が表示されるので、ステップカーソルを移動して候補を選択することができる。望みの文字を選択して決定ボタン３２を押下すると、入力フィールド４２にその文字が入力される。
【００９４】
次に、表示部１３の画面に表示された文字入力パレットを用いて文字を入力する第２の文字入力制御について、図２７の画面例を用いて説明する。
【００９５】
図２７（ａ）に示す入力フィールド４２を選択すると、図２７（ｂ）に示すように文字入力パレット４３がフィールドの下(または上)に表示される。この状態で、ホイール３１を横方向及び縦方向に回転操作してステップカーソルを移動し、図２７（ｃ）に示すように望みの文字を選択する（図示例では「つ」を選択している）。この操作において、図９または図１０に示す斜めにカーソルを移動する操作を用いれば、極めて簡単に文字を選択することができる。
【００９６】
図２７（ｃ）の状態で、決定ボタン３２を押下すると、図２７（ｄ）に示すように入力フィールド４２にその文字が入力される。このとき、図２７（ｄ）に示すように、予測候補表示エリア４４に予測候補が表示されるので、カーソルを移動して候補を選択することができる。望みの文字を選択して決定ボタン３２を押下すると、入力フィールド４２にその文字が入力される。
【図面の簡単な説明】
【００９７】
【図１】本発明の一実施形態の表示装置を示す全体構成図である。
【図２】図１のリモコンの平面図である。
【図３】図２のＡ−Ａ断面図である。
【図４】図２のリモコンのホイール機構を説明する平面図である。
【図５】図４の側面図である。
【図６】図４のホイールにタッチセンサ機能を持たせた変形例を示す概略図である。
【図７】図６のタッチセンサ機能の変形例を示す概略図である。
【図８】図４のホイールの支持部にタクトスイッチの動作機能を持たせた変形例を示す概略図である。
【図９】図２の操作部に球状ホイールを用いた変形例を示す概略図である。
【図１０】図２の操作部に上下、左右、斜めホイールを用いた変形例を示す概略図である。
【図１１Ａ】本実施形態におけるステップカーソルの第１の移動例を説明する図である。
【図１１Ｂ】本実施形態におけるステップカーソルの第１の移動例（続き）を説明する図である。
【図１１Ｃ】本実施形態におけるステップカーソルの第１の移動例（続き）を説明する図である。
【図１２Ａ】本実施形態におけるステップカーソルの第２の移動例を説明する図である。
【図１２Ｂ】本実施形態におけるステップカーソルの第２の移動例（続き）を説明する図である。
【図１２Ｃ】本実施形態におけるステップカーソルの第２の移動例（続き）を説明する図である。
【図１３Ａ】本実施形態におけるステップカーソルの第３の移動例を説明する図である。
【図１３Ｂ】本実施形態におけるステップカーソルの第３の移動例（続き）を説明する図である。
【図１４Ａ】本実施形態におけるフリーカーソルの第１の移動例を説明する図である。
【図１４Ｂ】本実施形態におけるフリーカーソルの第１の移動例（続き）を説明する図である。
【図１４Ｃ】本実施形態におけるフリーカーソルの第１の移動例（続き）を説明する図である。
【図１５Ａ】本実施形態におけるフリーカーソルの第２の移動例を説明する図である。
【図１５Ｂ】本実施形態におけるフリーカーソルの第２の移動例（続き）を説明する図である。
【図１５Ｃ】本実施形態におけるフリーカーソルの第２の移動例（続き）を説明する図である。
【図１６Ａ】本実施形態におけるフリーカーソルの第３の移動例を説明する図である。
【図１６Ｂ】本実施形態におけるフリーカーソルの第３の移動例（続き）を説明する図である。
【図１７Ａ】本実施形態における複数のタブブラウザにおけるフリーカーソルのリモコン操作による移動例を説明する図である。
【図１７Ｂ】本実施形態における複数のタブブラウザにおけるフリーカーソルのリモコン操作による移動例（続き）を説明する図である。
【図１７Ｃ】本実施形態における複数のタブブラウザにおけるフリーカーソルのリモコン操作による移動例（続き）を説明する図である。
【図１８】本実施形態におけるフリーカーソルのリモコン操作による第１の移動量制御を説明する図である。
【図１９】図１８の制御に用いる制御特性を説明する図である。
【図２０】本実施形態におけるフリーカーソルのリモコン操作による第３の移動量制御を説明する図である。
【図２１】本実施形態におけるフリーカーソルのリモコン操作による第２の移動量制御を説明する図である。
【図２２】本実施形態におけるフリーカーソルのリモコン操作によるカーソル方向制御を説明する図である。
【図２３Ａ】本実施形態におけるフリーカーソルに基づくオブジェクトハイライト及び糸引き制御のフローチャートである。
【図２３Ｂ】本実施形態におけるフリーカーソルに基づくオブジェクトハイライト及び糸引き制御（続き）のフローチャートである。
【図２４Ａ】本実施形態におけるフリーカーソルに基づくオブジェクトハイライト及び糸引き制御の画面例を示す図である。
【図２４Ｂ】本実施形態におけるフリーカーソルに基づくオブジェクトハイライト及び糸引き制御（続き）の画面例を示す図である。
【図２５】本実施形態における画面表示のズーム制御を説明する図である。
【図２６Ａ】本実施形態における文字入力パレットを用いて文字を入力する第１の文字入力制御を説明する図である。
【図２６Ｂ】本実施形態における文字入力パレットを用いて文字を入力する第１の文字入力制御（続き）を説明する図である。
【図２７】本実施形態における文字入力パレットを用いて文字を入力する第２の文字入力制御を説明する図である。
【符号の説明】
【００９８】
１…表示装置、１０…表示装置本体部、１１…チューナ部、１１Ａ…アンテナ、１２…本体側記憶部、１３…表示部、１４…音声出力部、１４Ａ…本体側音声出力部、１４Ｂ…リモコン側音声出力部、１５…本体側通信部、１６…本体側制御部、１７…電源、１８…ネットワークＩ／Ｆ、１９…リムーバブルメディアＩ／Ｆ、２０…入力装置（リモートコントローラ（リモコン））、２１…操作部、２１Ａ…第１の操作部、２１Ｂ…第２の操作部、２２…リモコン側通信部、２３…リモコン側制御部、２４…リモコン側記憶部、３０…リモコンケース、３１…ホイール、３１Ａ…第１のホイール（上下方向ホイール）、３１Ｂ…第２のホイール（左右方向ホイール）、３２…決定ボタン、３３…タクトスイッチ、３４…回転軸、３５…支持部、３６…ロータリエンコーダ、３７…タクトスイッチ、３８…回路基板、３９…導電性ブラシ、４０…導電性円盤、４１…検知エリア、４２…入力フィールド、４３…文字入力パレット、４４…予測候補表示エリア。
【図１】
2007264919.tif 000003
【図２】
2007264919.tif 000004
【図３】
2007264919.tif 000005
【図４】
2007264919.tif 000006
【図５】
2007264919.tif 000007
【図６】
2007264919.tif 000008
【図７】
2007264919.tif 000009
【図８】
2007264919.tif 000010
【図９】
2007264919.tif 000011
【図１０】
2007264919.tif 000012
【図１１Ａ】
2007264919.tif 000013
【図１１Ｂ】
2007264919.tif 000014
【図１１Ｃ】
2007264919.tif 000015
【図１２Ａ】
2007264919.tif 000016
【図１２Ｂ】
2007264919.tif 000017
【図１２Ｃ】
2007264919.tif 000018
【図１３Ａ】
2007264919.tif 000019
【図１３Ｂ】
2007264919.tif 000020
【図１４Ａ】
2007264919.tif 000021
【図１４Ｂ】
2007264919.tif 000022
【図１４Ｃ】
2007264919.tif 000023
【図１５Ａ】
2007264919.tif 000024
【図１５Ｂ】
2007264919.tif 000025
【図１５Ｃ】
2007264919.tif 000026
【図１６Ａ】
2007264919.tif 000027
【図１６Ｂ】
2007264919.tif 000028
【図１７Ａ】
2007264919.tif 000029
【図１７Ｂ】
2007264919.tif 000030
【図１７Ｃ】
2007264919.tif 000031
【図１８】
2007264919.tif 000032
【図１９】
2007264919.tif 000033
【図２０】
2007264919.tif 000034
【図２１】
2007264919.tif 000035
【図２２】
2007264919.tif 000036
【図２３Ａ】
2007264919.tif 000037
【図２３Ｂ】
2007264919.tif 000038
【図２４Ａ】
2007264919.tif 000039
【図２４Ｂ】
2007264919.tif 000040
【図２５】
2007264919.tif 000041
【図２６Ａ】
2007264919.tif 000042
【図２６Ｂ】
2007264919.tif 000043
【図２７】
2007264919.tif 000044